(57)【要約】      （修正有）【課題】管理者等の所定の権限を有する者のみが包装硬貨を出金するとともに出金された包装硬貨を精算所毎に分けることができるようになり、よって精算所のレジ担当者が包装硬貨を出金する場合と比較してセキュリティ性を向上させることができる貨幣処理機、貨幣処理システムおよび貨幣処理方法を提供する。【解決手段】貨幣処理機（例えば、貨幣入出金機１００）は、包装硬貨を収納する包装硬貨収納部（例えば、包装硬貨収納ユニット）と、操作者の権限を認証するための認証手段と、認証手段により認証された操作者の権限が所定の権限である場合においてのみ、複数の精算所２０に補充されるべき包装硬貨を一度に出金するよう包装硬貨収納部を制御する制御部とを備えている。【選択図】図１
2018180624.tif 000002
【特許請求の範囲】
【請求項１】
包装硬貨を収納する包装硬貨収納部と、
操作者の権限を認証するための認証手段と、
前記認証手段により認証された操作者の権限が所定の権限である場合においてのみ、複数の精算所に補充されるべき包装硬貨を一度に出金するよう前記包装硬貨収納部を制御する制御部と、
を備えた、貨幣処理機。
【請求項２】
前記包装硬貨収納部は、包装硬貨が収納される収納部分、および前記収納部分を筐体内でロックするロック機構を有しており、
前記制御部は、前記認証手段により認証された操作者の権限が所定の権限である場合においてのみ、前記ロック機構による前記収納部分のロックを解除するようになっている、請求項１記載の貨幣処理機。
【請求項３】
各精算所に補充されるべき包装硬貨に係る情報を受け付ける受付手段を更に備え、
前記制御部は、前記受付手段により受け付けられた情報に基づいて、各精算所に補充されるべき包装硬貨の合計数を算出するようになっている、請求項１または２記載の貨幣処理機。
【請求項４】
バラ貨幣を収納するとともに収納されているバラ貨幣を繰り出し可能な収納カセットが着脱自在に装着されるカセット装着部を更に備え、
前記カセット装着部に装着される前記収納カセットは、複数の精算所の各々に対応するよう複数設けられており、各前記収納カセットには、対応する精算所に補充されるべき包装硬貨に係る情報を記憶する記憶媒体が設けられており、
前記受付手段は、各前記収納カセットの前記記憶媒体から読み取られた情報に基づいて、各精算所に補充されるべき包装硬貨に係る情報を受け付けるようになっている、請求項３記載の貨幣処理機。
【請求項５】
前記制御部は、算出された包装硬貨の合計数を出力するようになっている、請求項３または４記載の貨幣処理機。
【請求項６】
前記包装硬貨収納部から出金された包装硬貨の数を検知する検知部と、
前記検知部による検知結果に基づく、前記包装硬貨収納部から出金された包装硬貨の数が、前記制御部により算出された、各精算所に補充されるべき包装硬貨の合計数と一致するか否かを判定する第１判定手段と、
を更に備えた、請求項３または４記載の貨幣処理機。
【請求項７】
前記制御部は、前記検知部による検知結果に基づく、前記包装硬貨収納部から出金された包装硬貨の数が、前記制御部により算出された、各精算所に補充されるべき包装硬貨の合計数と一致しないと前記第１判定手段により判定された場合には、警告情報を出力する、請求項６記載の貨幣処理機。
【請求項８】
前記包装硬貨収納部から出金された包装硬貨の数を検知する検知部を更に備え、
前記制御部は、前記検知部による検知結果に基づく、前記包装硬貨収納部から出金された包装硬貨に係る情報を出力するようになっている、請求項１乃至５のいずれか一項に記載の貨幣処理機。
【請求項９】
前記制御部は、前記包装硬貨収納部から出金された包装硬貨に係る情報を精算所毎に出力するようになっている、請求項８記載の貨幣処理機。
【請求項１０】
前記制御部により出力された、前記包装硬貨収納部から出金された包装硬貨に係る情報を印字する印字部を更に備えた、請求項８または９記載の貨幣処理機。
【請求項１１】
包装硬貨を収納する包装硬貨収納部を備えた貨幣処理機と、
複数の精算所にそれぞれ設置される複数の精算装置と、
複数の精算所にそれぞれ設置され、各前記精算装置を管理する複数の管理装置と、
を備え、
前記貨幣処理機から出金された包装硬貨が各前記精算装置に補充されるようになっており、
操作者の権限を認証するための認証手段と、前記認証手段により認証された操作者の権限が所定の権限である場合においてのみ、複数の精算所に補充されるべき包装硬貨を一度に出金するよう前記貨幣処理機の前記包装硬貨収納部を制御する制御部とがそれぞれ設けられている、貨幣処理システム。
【請求項１２】
前記認証手段は前記精算装置または前記管理装置に設けられている、請求項１１記載の貨幣処理システム。
【請求項１３】
各前記精算装置に補充された包装硬貨の合計数が、前記貨幣処理機から出金された包装硬貨の数と一致するか否かを判定する第２判定手段が設けられている、請求項１１または１２記載の貨幣処理システム。
【請求項１４】
前記第２判定手段は前記精算装置または前記管理装置に設けられている、請求項１３記載の貨幣処理システム。
【請求項１５】
包装硬貨を収納する包装硬貨収納部を備えた貨幣処理機による貨幣処理方法であって、
操作者の権限を認証する工程と、
認証された操作者の権限が所定の権限である場合においてのみ、複数の精算所に補充されるべき包装硬貨を一度に出金するよう前記包装硬貨収納部を制御する工程と、
を備えた、貨幣処理方法。
【発明の詳細な説明】
【技術分野】
【０００１】
本発明は、紙幣や硬貨、包装硬貨等の貨幣の処理を行う貨幣処理機、このような貨幣処理機を備えた貨幣処理システムおよびこのような貨幣処理機による貨幣処理方法に関する。
【背景技術】
【０００２】
スーパーマーケットやコンビニエンスストア等の店舗において、商品棚が設置されるフロント領域の精算所には貨幣釣銭機が設置されるとともに顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。また、バックヤード領域に設置される出納機等の入出金機は、貨幣釣銭機から回収された売上金としての貨幣の入金処理を行うとともに、貨幣釣銭機に補充されるべき釣銭補充金としての貨幣の出金処理を行うようになっている。このような貨幣処理システムとして、例えば特許文献１等に開示されるものが従来から知られている。特許文献１等に開示されるような貨幣処理システムでは、貨幣釣銭機と入出金機との間で紙幣収納カセットにより紙幣の授受を行うようになっている。具体的には、紙幣収納カセットは、貨幣釣銭機や入出金機に装着されたときにこれらの貨幣釣銭機や入出金機の内部から送られた紙幣を例えば積層状態で収納したり、既に収納されている紙幣を１枚ずつ繰り出して貨幣釣銭機や入出金機の内部に送ったりするようになっている。一方、貨幣釣銭機に釣銭準備金として包装硬貨を補充する際には、精算所のレジ担当者が入出金機から出金された包装硬貨を収納ケース等に入れることにより手で貨幣釣銭機まで運搬していた。
【先行技術文献】
【特許文献】
【０００３】
【特許文献１】特許第５９０２６６７号
【発明の概要】
【発明が解決しようとする課題】
【０００４】
上述したように、貨幣釣銭機に釣銭準備金として包装硬貨を補充する際に、精算所のレジ担当者が入出金機から出金された包装硬貨を収納ケース等に入れることにより手で貨幣釣銭機まで運搬する場合には、包装硬貨をレジ担当者の手で収納ケース等に入れてバックヤード領域からフロント領域の精算所まで持ち運ぶため、セキュリティの面で問題があった。
【０００５】
本発明は、このような点を考慮してなされたものであり、管理者等の所定の権限を有する者のみが包装硬貨を出金するとともに出金された包装硬貨を精算所毎に分けることができるようになり、よって精算所のレジ担当者が包装硬貨を出金する場合と比較してセキュリティ性を向上させることができる貨幣処理機、貨幣処理システムおよび貨幣処理方法を提供することを目的とする。
【課題を解決するための手段】
【０００６】
本発明の貨幣処理機は、包装硬貨を収納する包装硬貨収納部と、操作者の権限を認証するための認証手段と、前記認証手段により認証された操作者の権限が所定の権限である場合においてのみ、複数の精算所に補充されるべき包装硬貨を一度に出金するよう前記包装硬貨収納部を制御する制御部と、を備えたことを特徴とする。
【０００７】
このような貨幣処理機によれば、認証手段により認証された操作者の権限が所定の権限である場合においてのみ、複数の精算所に補充されるべき包装硬貨を一度に出金することができるため、管理者等の所定の権限を有する者のみが包装硬貨を出金するとともに出金された包装硬貨を精算所毎に分けることができるようになり、よって精算所のレジ担当者が包装硬貨を出金する場合と比較してセキュリティ性を向上させることができる。
【０００８】
本発明の貨幣処理機においては、前記包装硬貨収納部は、包装硬貨が収納される収納部分、および前記収納部分を筐体内でロックするロック機構を有しており、前記制御部は、前記認証手段により認証された操作者の権限が所定の権限である場合においてのみ、前記ロック機構による前記収納部分のロックを解除するようになっていてもよい。
【０００９】
本発明の貨幣処理機は、各精算所に補充されるべき包装硬貨に係る情報を受け付ける受付手段を更に備え、前記制御部は、前記受付手段により受け付けられた情報に基づいて、各精算所に補充されるべき包装硬貨の合計数を算出するようになっていてもよい。
【００１０】
この場合、本発明の貨幣処理機は、バラ貨幣を収納するとともに収納されているバラ貨幣を繰り出し可能な収納カセットが着脱自在に装着されるカセット装着部を更に備え、前記カセット装着部に装着される前記収納カセットは、複数の精算所の各々に対応するよう複数設けられており、各前記収納カセットには、対応する精算所に補充されるべき包装硬貨に係る情報を記憶する記憶媒体が設けられており、前記受付手段は、各前記収納カセットの前記記憶媒体から読み取られた情報に基づいて、各精算所に補充されるべき包装硬貨に係る情報を受け付けるようになっていてもよい。
【００１１】
また、前記制御部は、算出された包装硬貨の合計数を出力するようになっていてもよい。
【００１２】
また、本発明の貨幣処理機は、前記包装硬貨収納部から出金された包装硬貨の数を検知する検知部と、前記検知部による検知結果に基づく、前記包装硬貨収納部から出金された包装硬貨の数が、前記制御部により算出された、各精算所に補充されるべき包装硬貨の合計数と一致するか否かを判定する第１判定手段と、を更に備えていてもよい。
【００１３】
この場合、前記制御部は、前記検知部による検知結果に基づく、前記包装硬貨収納部から出金された包装硬貨の数が、前記制御部により算出された、各精算所に補充されるべき包装硬貨の合計数と一致しないと前記第１判定手段により判定された場合には、警告情報を出力するようになっていてもよい。
【００１４】
本発明の貨幣処理機は、前記包装硬貨収納部から出金された包装硬貨の数を検知する検知部を更に備え、前記制御部は、前記検知部による検知結果に基づく、前記包装硬貨収納部から出金された包装硬貨に係る情報を出力するようになっていてもよい。
【００１５】
この場合、前記制御部は、前記包装硬貨収納部から出金された包装硬貨に係る情報を精算所毎に出力するようになっていてもよい。
【００１６】
また、本発明の貨幣処理機は、前記制御部により出力された、前記包装硬貨収納部から出金された包装硬貨に係る情報を印字する印字部を更に備えていてもよい。
【００１７】
本発明の貨幣処理システムは、包装硬貨を収納する包装硬貨収納部を備えた貨幣処理機と、複数の精算所にそれぞれ設置される複数の精算装置と、複数の精算所にそれぞれ設置され、各前記精算装置を管理する複数の管理装置と、を備え、前記貨幣処理機から出金された包装硬貨が各前記精算装置に補充されるようになっており、操作者の権限を認証するための認証手段と、前記認証手段により認証された操作者の権限が所定の権限である場合においてのみ、複数の精算所に補充されるべき包装硬貨を一度に出金するよう前記貨幣処理機の前記包装硬貨収納部を制御する制御部とがそれぞれ設けられていることを特徴とする。
【００１８】
このような貨幣処理システムによれば、認証手段により認証された操作者の権限が所定の権限である場合においてのみ、複数の精算所に補充されるべき包装硬貨を貨幣処理機から一度に出金することができるため、管理者等の所定の権限を有する者のみが貨幣処理機から包装硬貨を出金するとともに出金された包装硬貨を精算所毎に分けることができるようになり、よって精算所のレジ担当者が貨幣処理機から包装硬貨を出金する場合と比較してセキュリティ性を向上させることができる。
【００１９】
本発明の貨幣処理システムにおいては、前記認証手段は前記精算装置または前記管理装置に設けられていてもよい。
【００２０】
本発明の貨幣処理システムにおいては、各前記精算装置に補充された包装硬貨の合計数が、前記貨幣処理機から出金された包装硬貨の数と一致するか否かを判定する第２判定手段が設けられていてもよい。
【００２１】
この場合、前記第２判定手段は前記精算装置または前記管理装置に設けられていてもよい。
【００２２】
本発明の貨幣処理方法は、包装硬貨を収納する包装硬貨収納部を備えた貨幣処理機による貨幣処理方法であって、操作者の権限を認証する工程と、認証された操作者の権限が所定の権限である場合においてのみ、複数の精算所に補充されるべき包装硬貨を一度に出金するよう前記包装硬貨収納部を制御する工程と、を備えたことを特徴とする。
【００２３】
このような貨幣処理方法によれば、認証された操作者の権限が所定の権限である場合においてのみ、複数の精算所に補充されるべき包装硬貨を貨幣処理機から一度に出金することができるため、管理者等の所定の権限を有する者のみが貨幣処理機から包装硬貨を出金するとともに出金された包装硬貨を精算所毎に分けることができるようになり、よって精算所のレジ担当者が包装硬貨を出金する場合と比較してセキュリティ性を向上させることができる。
【発明の効果】
【００２４】
本発明の貨幣処理機、貨幣処理システムおよび貨幣処理方法によれば、管理者等の所定の権限を有する者のみが包装硬貨を出金するとともに出金された包装硬貨を精算所毎に分けることができるようになり、よって精算所のレジ担当者が包装硬貨を出金する場合と比較してセキュリティ性を向上させることができる。
【図面の簡単な説明】
【００２５】
【図１】本発明の実施の形態における貨幣処理システムの構成を概略的に説明するための概略構成図である。
【図２】図１に示す貨幣処理システムにおける貨幣入出金機の外観を示す斜視図である。
【図３】図２に示す貨幣入出金機における紙幣処理ユニットの内部構成を側方から見たときの構成図である。
【図４】図２に示す貨幣入出金機における硬貨処理ユニットの内部構成を上方から見たときの構成図である。
【図５】図２に示す貨幣入出金機における包装硬貨収納ユニットの引出部の構成を示す斜視図である。
【図６】図２に示す貨幣入出金機における制御系の構成を示す機能ブロック図である。
【図７】図１に示す貨幣処理システムにおける貨幣釣銭機およびＰＯＳレジスタの外観を示す斜視図である。
【図８】図１に示す貨幣処理システムにおいて貨幣入出金機のカセット装着部および貨幣釣銭機のカセット装着部にそれぞれ着脱自在に装着可能となっている収納カセットの外観を示す斜視図である。
【発明を実施するための形態】
【００２６】
以下、図面を参照して本発明の実施の形態について説明する。図１乃至図８は、本実施の形態による貨幣処理システムおよびこのような貨幣処理システムに設けられた貨幣入出金機を示す図である。このうち、図１は、本実施の形態における貨幣処理システムの構成を概略的に説明するための概略構成図であり、図２は、図１に示す貨幣処理システムにおける貨幣入出金機の外観を示す斜視図である。また、図３乃至図５は、ぞれぞれ、図２に示す貨幣入出金機における紙幣処理ユニット、硬貨処理ユニットおよび包装硬貨収納ユニットの構成を示す図である。また、図６は、図２に示す貨幣入出金機における制御系の構成を示す機能ブロック図である。また、図７は、図１に示す貨幣処理システムにおける貨幣釣銭機およびＰＯＳレジスタの外観を示す斜視図であり、図８は、図１に示す貨幣処理システムにおいて貨幣入出金機のカセット装着部および貨幣釣銭機のカセット装着部にそれぞれ着脱自在に装着可能となっている収納カセットの外観を示す斜視図である。
【００２７】
図１に示すように、コンビニエンスストアやスーパーマーケット等の商業施設の店舗において、顧客が立ち入ることができるフロント領域１２には様々な商品が陳列された商品棚が設置されているとともに、複数の精算所２０（具体的には、例えば対面式レジカウンター）がフロント領域１２に設けられている。図１に示すように、各精算所２０には貨幣釣銭機２００およびＰＯＳレジスタ２９０が設置されており、店舗のレジ担当者がこれらの貨幣釣銭機２００やＰＯＳレジスタ２９０を操作するようになっている。顧客がこのような精算所２０で精算処理を行う際に、店員は、顧客から受け取った商品の代金としての貨幣を貨幣釣銭機２００に入金したり、釣銭としての貨幣を貨幣釣銭機２００から出金して顧客に返却したりするようになっている。また、ＰＯＳレジスタ２９０により、顧客が購入した商品に係る情報や貨幣釣銭機２００に収納されている貨幣に係る情報等の管理が行われるようになっている。
【００２８】
また、店舗における顧客の立ち入りが禁止されたバックヤード領域１４（例えば、出納室）には、各貨幣釣銭機２００から回収された売上金としての貨幣を入金する出納機等の貨幣入出金機１００が設置されている。このような貨幣入出金機１００は、貨幣釣銭機２００から回収された売上金としての貨幣の入金処理を行うことができるようになっている。また、貨幣釣銭機２００において釣銭としての貨幣が不足する場合には、貨幣入出金機１００から釣銭補充金としての貨幣を出金し、この貨幣入出金機１００から出金された釣銭補充金としての貨幣を貨幣釣銭機２００に補充することができるようになっている。また、本実施の形態による貨幣処理システム１０では、警送会社の警備員等により、貨幣入出金機１００から、紙幣や硬貨が収納されている回収カセット１４０、１７０（後述）が取り出され、これらの回収カセット１４０、１７０ごと紙幣や硬貨が貨幣入出金機１００から警送会社に回収されるようになっている。また、警送会社の警備員は、貨幣釣銭機２００で用いられる釣銭準備金としての貨幣を警送会社から店舗に運搬し、この店舗のバックヤード領域１４に設けられた貨幣入出金機１００に釣銭準備金としての貨幣を入金するようになっている。
【００２９】
また、バックヤード領域１４において、貨幣入出金機１００から出金された包装硬貨を精算所２０毎に仕分ける作業を管理者３０が行うようになっている。このような管理者３０の作業の詳細については後述する。
【００３０】
また、図１に示すように、フロント領域１２に設置される各ＰＯＳレジスタ２９０およびバックヤード領域１４に設置される貨幣入出金機１００はＬＡＮ１６により通信可能に接続されるようになっている。なお、各ＰＯＳレジスタ２９０および貨幣入出金機１００がＬＡＮ１６により通信可能に接続される代わりに、または各ＰＯＳレジスタ２９０および貨幣入出金機１００がＬＡＮ１６により通信可能に接続されることに加えて、フロント領域１２に設置される各貨幣釣銭機２００およびバックヤード領域１４に設置される貨幣入出金機１００がＬＡＮ１６により通信可能に接続されるようになっていてもよい。
【００３１】
本実施の形態では、このような貨幣入出金機１００、各貨幣釣銭機２００および各ＰＯＳレジスタ２９０を組み合わせることにより貨幣処理システム１０が構成されている。
【００３２】
次に、このような貨幣処理システム１０における貨幣入出金機１００の構成の詳細について図２乃至図６を用いて説明する。
【００３３】
図２等に示すように、本実施の形態による貨幣入出金機１００は、略直方体形状の筐体１０１を備えており、この筐体１０１の内部には、紙幣（バラ紙幣）の入金処理および出金処理を行う紙幣処理ユニット１１０、硬貨（バラ硬貨）の入金処理および出金処理を行う硬貨処理ユニット１５０、および包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０および硬貨処理ユニット１５０は貨幣入出金機１００を手前側から見て左右に並ぶよう配置されており、これらの紙幣処理ユニット１１０および硬貨処理ユニット１５０の下方に包装硬貨収納ユニット１８０が配置されている。
【００３４】
図２および図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図３において、筐体１０１の右側の側面が紙幣処理ユニット１１０の手前側の面となっており、図３における左向きの方向が紙幣処理ユニット１１０の奥行き方向となっている。図３に示すように、搬送部１３０は、筐体１０１の上部における中央位置に配置された周回搬送部１３０ａおよび複数の接続搬送部１３０ｂから構成されている。また、紙幣受入部１２０、紙幣払出部１２２、出金リジェクト部１２４、後述する収納カセット３００を着脱自在に装着可能なカセット装着部１２６、回収カセット１４０および２つの紙幣収納部１３４、１３６が、それぞれ、周回搬送部１３０ａを取り囲むよう配置されている。また、図３に示すように、複数の接続搬送部１３０ｂの各々により、紙幣受入部１２０、紙幣払出部１２２、出金リジェクト部１２４、カセット装着部１２６、回収カセット１４０および２つの紙幣収納部１３４、１３６の各々と、周回搬送部１３０ａとの間をそれぞれ接続するようになっている。また、周回搬送部１３０ａには識別部１３２が設けられており、この識別部１３２は、周回搬送部１３０ａにより搬送される紙幣の金種、真偽、正損、表裏、新旧、搬送状態等の識別を行うようになっている。
【００３５】
周回搬送部１３０ａは、図３における時計回りの方向および反時計回りの方向の両方向に紙幣を１枚ずつ搬送することができるようになっている。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００３６】
図２および図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたりこのカセット装着部１２６から収納カセット３００を取り出したりすることができるようになっている。また、図３に示すように、カセット装着部１２６には、当該カセット装着部１２６に収納カセット３００が装着されたときにこのことを検知する光センサ等のカセット装着検知部１２７が設けられている。また、図６に示すように、カセット装着部１２６には、当該カセット装着部１２６に装着された収納カセット３００に設けられている記憶媒体３０４（後述）に様々な情報を書き込む書込部１２８および当該記憶媒体３０４から様々な情報を読み取る読取部１２９がそれぞれ設けられている。書込部１２８により記憶媒体３０４に書き込まれる情報や読取部１２９により記憶媒体３０４から読み取られる情報の詳細については後述する。
【００３７】
紙幣受入部１２０には紙幣繰出機構１２１が設けられており、紙幣受入口１２０ａに１枚あるいは複数枚の紙幣が投入されたことが検知されると紙幣繰出機構１２１が駆動されることにより紙幣が接続搬送部１３０ｂを介して周回搬送部１３０ａ側へ１枚ずつ繰り出されるようになっている。
【００３８】
紙幣払出部１２２は、各紙幣収納部１３４、１３６から周回搬送部１３０ａに繰り出された紙幣を紙幣取出口１２２ａにより筐体１０１の外部へ投出するようになっている。
【００３９】
出金リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納するようになっている。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却されるようになっている。
【００４０】
各紙幣収納部１３４、１３６は、識別部１３２の識別結果に基づいて紙幣を金種別に収納するようになっている。これらの紙幣収納部１３４、１３６には、貨幣釣銭機２００への釣銭補充金の紙幣として貨幣入出金機１００から出金されるべき紙幣が収納されるようになっている。具体的には、例えば紙幣収納部１３４には千円札が収納され、紙幣収納部１３６には五千円札が収納されるようになっている。なお、一万円札は後述する回収カセット１４０に収納されるようになっている。また、各紙幣収納部１３４、１３６にはそれぞれ紙幣繰出機構１３５、１３７が設けられており、これらの紙幣収納部１３４、１３６に収納されている紙幣は各紙幣繰出機構１３５、１３７により接続搬送部１３０ｂを介して周回搬送部１３０ａ側へ１枚ずつ繰り出されるようになっている。
【００４１】
筐体１０１の内部における下部領域には回収カセット１４０が収容されており、警送会社により回収されるべき紙幣が回収カセット１４０に収納されるようになっている。具体的には、識別部１３２により識別された紙幣が周回搬送部１３０ａから接続搬送部１３０ｂを経て回収カセット１４０に送られるようになっている。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができるようになっている。
【００４２】
次に、硬貨処理ユニット１５０の構成について説明する。図２および図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００４３】
硬貨受入部１５２は、硬貨投入口を介して受け入れた硬貨を１層１列状態で１枚ずつ筐体１０１内に取り込むようになっている。より詳細には、硬貨受入部１５２には繰出ベルト等からなる硬貨繰出機構１５３（図６参照）が設けられており、硬貨受入部１５２に受け入れられた硬貨を検知するとこの硬貨繰出機構１５３が駆動されることにより当該硬貨繰出機構１５３によって硬貨が筐体１０１の内部に１枚ずつ繰り出されるようになっている。また、図４に示すように、硬貨受入部１５２には、当該硬貨受入部１５２により筐体１０１の内部に繰り出された硬貨を搬送する入金搬送部１５４が接続されている。
【００４４】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、リジェクト硬貨等の、硬貨払出部１６６から払い出されるべき硬貨を入金搬送部１５４から分岐させて出金搬送部１６２へ案内するようになっている。
【００４５】
一方、正常硬貨等の筐体１０１内に収納されるべき硬貨は入金搬送部１５４により各収納繰出部１６０へ搬送されるようになっている。収納繰出部１６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部１６０が設けられており、入金搬送部１５４の上流側（すなわち、図４における下側）から低額順に各収納繰出部１６０に硬貨が金種毎に収納されるようになっている。また、収納繰出部１６０には、当該収納繰出部１６０に収納された硬貨を１枚ずつ出金搬送部１６２に繰り出す硬貨繰出機構（図示せず）が設けられている。
【００４６】
出金搬送部１６２は、収納繰出部１６０から繰り出された硬貨を硬貨払出部１６６へ搬送するようになっている。また、出金搬送部１６２は、第１分岐部１５８により入金搬送部１５４から分岐させられたリジェクト硬貨等を硬貨払出部１６６へ搬送するようになっている。
【００４７】
筐体１０１の内部における下部領域には回収カセット１７０が収容されており、警送会社により回収されるべき硬貨が回収カセット１７０に収納されるようになっている。具体的には、図４に示すように、出金搬送部１６２の途中箇所には第２分岐部１６４が設けられており、当該第２分岐部１６４により出金搬送部１６２から分岐させられた硬貨は回収カセット１７０に送られてこの回収カセット１７０に収納されるようになっている。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができるようになっている。
【００４８】
次に、包装硬貨収納ユニット１８０の構成について説明する。図５に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能となっている。なお、図５に示すように、各収納領域１８０ａ〜１８０ｆに包装硬貨が収納されたときに当該包装硬貨の長手方向が鉛直方向を向くようになっている。そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができるようになっている。また、図６に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができないようになっている。また、図６に示すように、包装硬貨収納ユニット１８０には、引出部１８２の各収納領域１８０ａ〜１８０ｆに収納されている包装硬貨の重量を測定する重量計１８６と、重量計１８６により測定される包装硬貨の重量に基づいて引出部１８２の各収納領域１８０ａ〜１８０ｆから取り出された包装硬貨の数を検知する検知部１８８とがそれぞれ設けられている。具体的には、検知部１８８は、引出部１８２の各収納領域１８０ａ〜１８０ｆから包装硬貨が取り出される前後の各収納領域１８０ａ〜１８０ｆに収納されている包装硬貨の重量の差分に基づいて、引出部１８２の各収納領域１８０ａ〜１８０ｆから取り出された包装硬貨の数を検知するようになっている。
【００４９】
なお、各収納領域１８０ａ〜１８０ｆから取り出された包装硬貨の数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の数を検知してもよく、あるいはこれらのラインセンサや磁気センサを組み合わせることにより各収納領域１８０ａ〜１８０ｆに収納されている包装硬貨の数を検知してもよい。また、収納領域１８０ａ〜１８０ｆ毎にラインセンサや磁気センサが設けられていてもよい。
【００５０】
次に、このような貨幣入出金機１００における制御系の構成について図６を用いて説明する。図６に示すように、本実施の形態による貨幣入出金機１００の筐体１０１の内部には制御部１０２が設けられており、当該制御部１０２により紙幣処理ユニット１１０、硬貨処理ユニット１５０および包装硬貨収納ユニット１８０の各々の構成部材が制御されるようになっている。具体的には、制御部１０２には、紙幣処理ユニット１１０の紙幣繰出機構１２１、搬送部１３０、識別部１３２、紙幣繰出機構１３５、１３７、カセット装着部１２６、カセット装着検知部１２７、書込部１２８、読取部１２９等が接続されており、識別部１３２による紙幣の識別情報や、カセット装着検知部１２７による収納カセット３００の検知情報、収納カセット３００に設けられた記憶媒体３０４から読取部１２９により読み取られた情報等が制御部１０２に送られるとともに、制御部１０２は紙幣処理ユニット１１０の各構成部材に指令信号を送ることによりこれらの構成部材の制御を行うようになっている。また、制御部１０２には、硬貨処理ユニット１５０の硬貨繰出機構１５３、入金搬送部１５４、識別部１５６、第１分岐部１５８、各収納繰出部１６０、出金搬送部１６２および第２分岐部１６４等が接続されており、識別部１５６による硬貨の識別情報が制御部１０２に送られるとともに、制御部１０２は硬貨処理ユニット１５０の各構成部材に指令信号を送ることによりこれらの構成部材の制御を行うようになっている。また、制御部１０２には、包装硬貨収納ユニット１８０のロック機構１８４、重量計１８６および検知部１８８等が接続されており、重量計１８６による包装硬貨の測定結果や検知部１８８による検知結果（具体的には、引出部１８２の各収納領域１８０ａ〜１８０ｆから取り出された包装硬貨の数）が制御部１０２に送られるとともに、制御部１０２はロック機構１８４に指令信号を送ることにより当該ロック機構１８４の制御を行うようになっている。
【００５１】
また、図６に示すように、制御部１０２には、印字部１０３、操作表示部１０４、通信部１０５、記憶部１０６、認証手段１０７、受付手段１０８、第１判定手段１０９がそれぞれ接続されている。印字部１０３は筐体１０１の上部に設けられたプリンタ等からなり、紙幣処理ユニット１１０、硬貨処理ユニット１５０および包装硬貨収納ユニット１８０の各々に収納されている貨幣の在高に係る情報や、貨幣入出金機１００における貨幣の処理内容等の様々な情報等をレシートに印字するようになっている。また、操作表示部１０４は筐体１０１の上部に設けられたタッチパネル等からなり、操作者が操作するための操作画面や、紙幣処理ユニット１１０、硬貨処理ユニット１５０および包装硬貨収納ユニット１８０の各々に収納されている貨幣の在高に係る情報が操作表示部１０４に表示されるようになっている。また、このような操作表示部１０４において操作者は操作画面における操作ボタンに指を触れることによって制御部１０２に様々な指令を入力することができるようになっている。通信部１０５は各ＰＯＳレジスタ２９０に対してＬＡＮ１６を介して様々な信号の送受信を行うことができるようになっている。
【００５２】
また、記憶部１０６には、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報が記憶されるようになっている。また、認証手段１０７は、貨幣入出金機１００を操作する操作者の識別情報や権限等を認証するようになっている。具体的には、例えば操作表示部１０４により操作者が自分の識別番号およびパスワードを入力するような形式となっている場合には、認証手段１０７は、操作表示部１０４により入力された操作者の識別番号およびパスワードに基づいて当該操作者の識別情報や権限等を認証する。また、別の例として、認証手段１０７として、操作者が所持するＩＤカード等の読み取りを行うカードリーダが貨幣入出金機１００に設けられていてもよい。この場合には、認証手段１０７は、カードリーダによりＩＤカード等から読み取られた情報に基づいて操作者の識別情報や権限等を認証するようになる。なお、後述するように、本実施の形態では、制御部１０２は、認証手段１０７により認証された操作者の権限が所定の権限（具体的には、管理者３０）である場合においてのみ、ロック機構１８４による引出部１８２のロックを解除するようになっている。このことにより、所定の権限を有する操作者（具体的には、管理者３０）のみが、貨幣入出金機１００の筐体１０１の内部から引出部１８２を手前側に引き出して当該引出部１８２の各収納領域１８０ａ〜１８０ｆから包装硬貨を取り出すことができるようになる。
【００５３】
また、受付手段１０８は、各精算所２０に設置されている貨幣釣銭機２００に釣銭補充金として補充されるべき貨幣（具体的には、紙幣および包装硬貨）に係る情報を受け付けるようになっている。操作者が操作表示部１０４により各精算所２０の貨幣釣銭機２００に釣銭補充金として補充されるべき貨幣に係る情報を入力すると、受付手段１０８は操作表示部１０４により入力された情報に基づいて各精算所２０の貨幣釣銭機２００に釣銭補充金として補充されるべき貨幣に係る情報を受け付けるようになる。あるいは、受付手段１０８は、カセット装着部１２６に装着されている記憶媒体３０４（後述）から読み取られた情報に基づいて、各精算所２０に設置されている貨幣釣銭機２００に補充されるべき貨幣に係る情報を受け付けるようになっていてもよい。具体的には、収納カセット３００の記憶媒体３０４（後述）には、釣銭準備金として貨幣釣銭機２００に補充されるべき貨幣に係る情報が記憶されるようになっており、当該収納カセット３００がカセット装着部１２６に装着されたことがカセット装着検知部１２７により検知されると、記憶媒体３０４に記憶されている当該情報がカセット装着部１２６に設けられた読取部１２９により読み取られるようになる。そして、受付手段１０８は、各収納カセット３００の記憶媒体３０４から読み取られた情報に基づいて、各精算所２０に設置されている貨幣釣銭機２００に補充されるべき貨幣に係る情報を受け付けるようになる。更に他の例として、受付手段１０８は、外部装置（例えば、各精算所２０に設置されるＰＯＳレジスタ２９０）から通信部１０５を介して制御部１０２に送られた情報に基づいて、各精算所２０の貨幣釣銭機２００に釣銭補充金として補充されるべき貨幣に係る情報を受け付けるようになっていてもよい。また、受付手段１０８により受け付けられた、各精算所２０の貨幣釣銭機２００に釣銭補充金として補充されるべき貨幣に係る情報は記憶部１０６に記憶されるようになっている。このような受付手段１０８の機能の詳細については後述する。
【００５４】
また、本実施の形態では、制御部１０２は、受付手段１０８により受け付けられた情報に基づいて、各精算所２０に設置されている貨幣釣銭機２００に補充されるべき包装硬貨の合計数を算出するようになっている。また、制御部１０２は、算出された包装硬貨の合計数を出力するようになっている。また、第１判定手段１０９は、包装硬貨収納ユニット１８０の検知部１８８による検知結果に基づく、引出部１８２の各収納領域１８０ａ〜１８０ｆから取り出された包装硬貨の数が、制御部１０２により算出された、各精算所２０に設置されている貨幣釣銭機２００に補充されるべき包装硬貨の合計数と一致するか否かを判定するようになっている。ここで、引出部１８２の各収納領域１８０ａ〜１８０ｆから取り出された包装硬貨の数が、制御部１０２により算出された、各精算所２０に設置されている貨幣釣銭機２００に補充されるべき包装硬貨の合計数と一致しないと第１判定手段１０９により判定された場合には、制御部１０２は警告情報を出力するようになっている。具体的には、制御部１０２により出力された警告情報は操作表示部１０４に警告メッセージとして表示されるようになっている。このような第１判定手段１０９の機能の詳細については後述する。
【００５５】
次に、店舗のフロント領域１２における各精算所２０に設けられた貨幣釣銭機２００およびＰＯＳレジスタ２９０の構成の詳細について図７を用いて簡単に説明する。図７に示すように、本実施の形態による貨幣釣銭機２００は、上下に並ぶよう配置された硬貨処理ユニット２５０および包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置されるようになっている。紙幣処理ユニット２１０および硬貨処理ユニット２５０は、それぞれ、バラ紙幣やバラ硬貨の入出金処理を行うようになっている。また、包装硬貨収納ユニット２８０は、各金種の包装硬貨を取り出し可能に収納するようになっている。また、硬貨処理ユニット２５０の上面手前側にはタッチパネル等の操作表示部２７０が設けられており、当該操作表示部２７０には、操作者が操作するための操作画面や、紙幣処理ユニット２１０、硬貨処理ユニット２５０および包装硬貨収納ユニット２８０の各々に収納されている貨幣の在高に係る情報が表示されるようになっている。また、このような操作表示部２７０において操作者は操作画面における操作ボタンに指を触れることによって貨幣釣銭機２００の制御部（図示せず）に様々な指令を入力することができるようになっている。また、ＰＯＳレジスタ２９０は、貨幣釣銭機２００の管理を行う管理装置として用いられるようになっている。
【００５６】
また、図７に示すように、貨幣釣銭機２００には、複数の精算所２０に設置されている各貨幣釣銭機２００に補充された包装硬貨の合計数が、貨幣入出金機１００から出金された包装硬貨の数と一致するか否かを判定する第２判定手段２６０が設けられている。このような第２判定手段２６０の機能の詳細については後述する。
【００５７】
次に、貨幣入出金機１００と各貨幣釣銭機２００との間で紙幣の受け渡しを行うための収納カセット３００の構成について図８を用いて説明する。図８に示すように、収納カセット３００は略直方体形状のケーシング３０１を有しており、当該ケーシング３０１の内部に紙幣が積層状態で収納されるようになっている。また、上述したように、収納カセット３００は貨幣入出金機１００のカセット装着部１２６および貨幣釣銭機２００のカセット装着部（図示せず）にそれぞれ着脱自在に装着されるようになっている。また、収納カセット３００のケーシング３０１の側面には開口３０２が形成されており、収納カセット３００が貨幣入出金機１００のカセット装着部１２６や貨幣釣銭機２００のカセット装着部に装着されているときに、貨幣入出金機１００の紙幣処理ユニット１１０に設けられた搬送部１３０や貨幣釣銭機２００の紙幣処理ユニット２１０に設けられた搬送部（図示せず）から当該開口３０２を介して紙幣が収納カセット３００の内部に送られたり、収納カセット３００に収納されている紙幣が開口３０２を介して貨幣入出金機１００の紙幣処理ユニット１１０の搬送部１３０や貨幣釣銭機２００の紙幣処理ユニット２１０の搬送部に繰り出されたりするようになっている。
【００５８】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６や貨幣釣銭機２００のカセット装着部（図示せず）に装着されているときに、貨幣入出金機１００の紙幣処理ユニット１１０側や貨幣釣銭機２００の紙幣処理ユニット２１０側から収納カセット３００の紙幣繰出機構に動力が伝達されるようになっている。このように、収納カセット３００が貨幣入出金機１００のカセット装着部１２６や貨幣釣銭機２００のカセット装着部から取り出された状態では当該収納カセット３００に収納されている紙幣をケーシング３０１の外部に繰り出させることができないため、収納カセット３００に収納されている紙幣のセキュリティ性を向上させることができる。
【００５９】
また、収納カセット３００のケーシング３０１の側面にはＩＣチップ等の記憶媒体３０４が設けられている。そして、収納カセット３００が貨幣入出金機１００のカセット装着部１２６や貨幣釣銭機２００のカセット装着部（図示せず）に装着されているときに、貨幣入出金機１００のカセット装着部１２６に設けられた書込部１２８や貨幣釣銭機２００のカセット装着部に設けられた書込部（図示せず）により記憶媒体３０４に様々な情報を書き込んだり、貨幣入出金機１００のカセット装着部１２６に設けられた読取部１２９や貨幣釣銭機２００のカセット装着部に設けられた読取部（図示せず）により記憶媒体３０４から様々な情報を読み取ったりすることができるようになっている。
【００６０】
また、本実施の形態の貨幣処理システム１０では、貨幣入出金機１００と各貨幣釣銭機２００との間で紙幣以外の貨幣（具体的には、バラ硬貨や包装硬貨）の受け渡しを行うために収納カセット３００とは別にバラ硬貨や包装硬貨が収納される収納ケース４００（図１参照）が用いられるようになっている。具体的には、各精算所２０に設けられている貨幣釣銭機２００に釣銭補充金としての貨幣を補充する際には、各精算所２０に対応するレジ担当者は釣銭補充金としての紙幣が収納されている収納カセット３００および釣銭準備金としての包装硬貨が収納されている収納ケース４００をバックヤード領域１４からフロント領域１２に運搬するようになる。一方、各精算所２０に設けられている貨幣釣銭機２００から売上金としての貨幣を回収する際には、各精算所２０に対応するレジ担当者は売上金としての紙幣が収納されている収納カセット３００および売上金としてのバラ硬貨が収納されている収納ケース４００をフロント領域１２からバックヤード領域１４に運搬するようになる。
【００６１】
次に、このような構成からなる貨幣処理システム１０の動作について説明する。具体的には、フロント領域１２の各精算所２０に設置されている貨幣釣銭機２００から回収された売上金としての貨幣をバックヤード領域１４に設置されている貨幣入出金機１００に入金する動作、およびバックヤード領域１４に設置されている貨幣入出金機１００から出金された釣銭補充金としての貨幣をフロント領域１２の各精算所２０に設置されている貨幣釣銭機２００に補充する動作についてそれぞれ説明する。
【００６２】
まず、フロント領域１２の各精算所２０に設置されている貨幣釣銭機２００から回収された売上金としての貨幣をバックヤード領域１４に設置されている貨幣入出金機１００に入金する動作について説明する。店舗の営業時間が終了すると、フロント領域１２の精算所２０で商品の精算業務を行っていたレジ担当者は貨幣釣銭機２００から売上金としての紙幣や硬貨を回収する。具体的には、レジ担当者は、空の収納カセット３００を紙幣処理ユニット２１０のカセット装着部に装着することにより、紙幣処理ユニット２１０の内部に収納されている売上金としての紙幣を収納カセット３００に収納させる。また、紙幣処理ユニット２１０においてカセット装着部に装着されている収納カセット３００に紙幣が収納されると、収納された紙幣に係る情報（具体的には、金種毎の枚数）等が紙幣処理ユニット２１０に設けられているリーダライタにより収納カセット３００の記憶媒体３０４に書き込まれるようになる。また、翌日に釣銭準備金として貨幣釣銭機２００に入金されるべき貨幣（具体的には、紙幣および包装硬貨）に係る情報（具体的には、金種毎の枚数）が収納カセット３００の記憶媒体３０４に書き込まれる。また、貨幣釣銭機２００が設置されている精算所２０の識別番号や、レジ担当者の識別番号等の情報が収納カセット３００の記憶媒体３０４に書き込まれるようになっていてもよい。また、レジ担当者は、硬貨処理ユニット２５０から売上金としての硬貨を出金させ、この出金された硬貨を収納ケース４００に手で収納する。また、レジ担当者は、包装硬貨収納ユニット２８０に収納されている、貨幣以外の媒体（例えば、商品券等）を手で取りだし、この取り出された媒体を収納ケース４００に手で収納する。また、レジ担当者が貨幣釣銭機２００から貨幣等を回収する際に、回収された貨幣等に関する情報がプリンタ等の印字部によりレシートに印字される。このような情報が印字されたレシートをジャーナルともいう。レジ担当者は、プリンタ等の印字部により印字されたレシートも収納ケース４００に手で収納する。
【００６３】
フロント領域１２において精算所２０に設置されている貨幣釣銭機２００から売上金としての紙幣や硬貨等を回収したレジ担当者は、収納カセット３００および収納ケース４００をまとめてフロント領域１２の精算所２０からバックヤード領域１４に運搬する。そして、レジ担当者は売上金としての紙幣や硬貨を貨幣入出金機１００に入金する。具体的には、レジ担当者は収納カセット３００を貨幣入出金機１００の紙幣処理ユニット１１０におけるカセット装着部１２６に装着することにより、収納カセット３００に収納されている売上金としての紙幣を紙幣処理ユニット１１０に収納させる。また、収納カセット３００の記憶媒体３０４に記憶されている情報が読取部１２９により読み取られる。このことにより、収納カセット３００に収納されていた売上金としての紙幣の情報（具体的には、紙幣の金種毎の枚数）が貨幣入出金機１００の制御部１０２により管理されるようになる。また、レジ担当者は収納ケース４００から硬貨を取り出し、この取り出さされた硬貨を貨幣入出金機１００の硬貨処理ユニット１５０における硬貨受入部１５２に投入する。このことにより、売上金としての硬貨が貨幣入出金機１００に入金される。
【００６４】
次に、バックヤード領域１４に設置されている貨幣入出金機１００から出金された釣銭補充金としての貨幣をフロント領域１２の各精算所２０に設置されている貨幣釣銭機２００に補充する動作について説明する。まず、各精算所２０のレジ担当者は、釣銭補充金としての紙幣を貨幣釣銭機２００から収納カセット３００に収納させる。具体的には、レジ担当者は、最初に、認証手段１０７により操作者の権限を認証させる。そして、操作者の権限がレジ担当者であることが認証手段１０７により認証されると、当該レジ担当者は空の収納カセット３００を貨幣入出金機１００の紙幣処理ユニット１１０におけるカセット装着部１２６に装着する。このことにより、紙幣処理ユニット１１０の各紙幣収納部１３４、１３６に収納されている紙幣が収納カセット３００に送られるようになる。また、この際に、貨幣入出金機１００から出金された釣銭補充金としての貨幣の情報（具体的には、紙幣の金種毎の枚数および後述する包装硬貨の金種毎の本数）が書込部１２８により収納カセット３００の記憶媒体３０４に書き込まれるようになる。
【００６５】
また、レジ担当者とは異なる操作者である管理者３０は、貨幣入出金機１００の包装硬貨収納ユニット１８０から釣銭補充金としての包装硬貨を取り出す。具体的には、管理者３０は、最初に、認証手段１０７により操作者の権限を認証させる。そして、操作者の権限が管理者であることが認証手段１０７により認証されると、ロック機構１８４による引出部１８２のロックが解除される。このことにより、管理者３０のみが、貨幣入出金機１００の筐体１０１の内部から引出部１８２を手前側に引き出して当該引出部１８２の各収納領域１８０ａ〜１８０ｆから包装硬貨を取り出すことができるようになる。ここで、複数の精算所２０に設置されている貨幣釣銭機２００にそれぞれ釣銭補充金としての貨幣を入金する場合には、管理者３０は、複数の精算所２０に設置されている貨幣釣銭機２００に補充されるべき包装硬貨を一度に包装硬貨収納ユニット１８０から取り出し、その後に包装硬貨収納ユニット１８０から取り出された包装硬貨を各精算所２０毎に仕分けし、そして仕分けされた包装硬貨を各精算所２０に対応する複数の収納ケース４００に収納させる。そして、管理者３０は、釣銭準備金としての包装硬貨が収納された収納ケース４００を各精算所２０のレジ担当者に手渡す。
【００６６】
本実施の形態では、貨幣入出金機１００の包装硬貨収納ユニット１８０から管理者３０が釣銭補充金としての包装硬貨を取り出す際に、各精算所２０の貨幣釣銭機２００に補充されるべき包装硬貨に係る情報が受付手段１０８により受け付けられ、制御部１０２は、受付手段１０８により受け付けられた情報に基づいて、各精算所２０に補充されるべき包装硬貨の合計数を算出する。具体的には、管理者３０は、貨幣入出金機１００の包装硬貨収納ユニット１８０から釣銭補充金としての包装硬貨を取り出すにあたり、認証手段１０７により操作者の権限を認証させた後、各精算所２０の貨幣釣銭機２００に補充されるべき包装硬貨の金種毎の本数を精算所２０毎に操作表示部１０４により入力する。このことにより、受付手段１０８は、操作表示部１０４によって管理者３０により入力された情報に基づいて、各精算所２０の貨幣釣銭機２００に補充されるべき包装硬貨に係る情報を受け付けるようになる。また、他の方法として、上述した貨幣の回収処理が行われる際に、収納カセット３００の記憶媒体３０４に、釣銭準備金として貨幣釣銭機２００に補充されるべき包装硬貨に係る情報が記憶されるようになっている場合には、当該収納カセット３００がカセット装着部１２６に装着されたことがカセット装着検知部１２７により検知されると、記憶媒体３０４に記憶されている当該情報がカセット装着部１２６に設けられた読取部１２９により読み取られるようになる。そして、受付手段１０８は、各収納カセット３００の記憶媒体から読み取られた情報に基づいて、各精算所２０に設置されている貨幣釣銭機２００に補充されるべき包装硬貨に係る情報を受け付けるようになる。また、更に他の例として、各精算所２０の貨幣釣銭機２００に釣銭補充金として補充されるべき包装硬貨に係る情報が、外部装置（例えば、各精算所２０に設置されるＰＯＳレジスタ２９０）から通信部１０５を介して制御部１０２に送信されるようになっていてもよい。この場合には、受付手段１０８は、ＰＯＳレジスタ２９０等の外部装置から通信部１０５を介して制御部１０２に送られた情報に基づいて、各精算所２０の貨幣釣銭機２００に釣銭補充金として補充されるべき包装硬貨に係る情報を受け付けるようになる。
【００６７】
また、本実施の形態では、制御部１０２は、受付手段１０８により受け付けられた情報に基づいて、各精算所２０の貨幣釣銭機２００に補充されるべき包装硬貨の合計数を算出し、この算出された包装硬貨の合計数を出力する。具体的には、制御部１０２により出力された、算出された包装硬貨の合計数は操作表示部１０４に表示される。このことにより、操作者は、操作表示部１０４に表示されている、制御部１０２により算出された包装硬貨の合計数の分だけ、引出部１８２の各収納領域１８０ａ〜１８０ｆから包装硬貨を取り出すようになる。
【００６８】
また、管理者３０により包装硬貨収納ユニット１８０における引出部１８２の各収納領域１８０ａ〜１８０ｆから包装硬貨が取り出され、引出部１８２が筐体１０１の内部に戻されると、包装硬貨収納ユニット１８０から出金された包装硬貨の数が検知部１８８により検知される。そして、制御部１０２は、検知部１８８による検知結果に基づく、包装硬貨収納ユニット１８０から出金された包装硬貨に係る情報を出力する。具体的には、制御部１０２は、検知部１８８による検知結果に基づく、包装硬貨収納ユニット１８０から出金された包装硬貨に係る情報を精算所２０毎（より詳細には、貨幣釣銭機２００毎）に出力する。そして、制御部１０２により出力された、包装硬貨収納ユニット１８０から出金された包装硬貨に係る情報は印字部１０３によりレシートに印字される。具体的には、印字部１０３により、包装硬貨収納ユニット１８０から出金された、精算所２０毎の釣銭補充金としての包装硬貨の数および合計数が１枚のレシートに印字される。このことにより、管理者３０は、印字部１０３により印字されたレシートを見ながら、包装硬貨収納ユニット１８０から取り出された包装硬貨を精算所２０毎に分けて各収納ケース４００に収納させることができるようになる。
【００６９】
また、本実施の形態では、管理者３０により包装硬貨収納ユニット１８０における引出部１８２の各収納領域１８０ａ〜１８０ｆから包装硬貨が取り出され、引出部１８２が筐体１０１の内部に戻されると、検知部１８８による検知結果に基づく、包装硬貨収納ユニット１８０から出金された包装硬貨の数が、制御部１０２により算出された、各精算所２０の貨幣釣銭機２００に補充されるべき包装硬貨の合計数と一致するか否かが第１判定手段１０９により判定される。そして、検知部１８８による検知結果に基づく、包装硬貨収納ユニット１８０から出金された包装硬貨の数が、制御部１０２により算出された、各精算所２０の貨幣釣銭機２００に補充されるべき包装硬貨の合計数と一致しないと第１判定手段１０９により判定された場合には、制御部１０２は警告情報を出力する。制御部１０２により出力された警告情報は操作表示部１０４に警告メッセージとして表示されたり、通信部１０５により上位端末等に送信されたりする。このことにより、包装硬貨収納ユニット１８０から取り出された包装硬貨の数に誤りがあることを管理者３０に気づかせることができるようになる。
【００７０】
上述したように、管理者３０は、包装硬貨収納ユニット１８０から取り出された包装硬貨を各精算所２０毎に仕分けし、仕分けされた包装硬貨を各精算所２０に対応する複数の収納ケース４００に収納させる。そして、管理者３０は、釣銭準備金としての包装硬貨が収納された収納ケース４００を各精算所２０のレジ担当者に手渡す。その後、レジ担当者は、貨幣入出金機１００の紙幣処理ユニット１１０から出金された紙幣が収納されている収納カセット３００および管理者３０から手渡された収納ケース４００をまとめてバックヤード領域１４からフロント領域１２の精算所２０に運搬する。そして、レジ担当者は釣銭準備金としての紙幣や包装硬貨を貨幣釣銭機２００に入金する。具体的には、レジ担当者は収納カセット３００を貨幣釣銭機２００の紙幣処理ユニット２１０におけるカセット装着部に装着することにより、収納カセット３００に収納されている釣銭準備金としての紙幣を紙幣処理ユニット２１０に収納させる。また、収納カセット３００の記憶媒体３０４に記憶されている情報が読取部により読み取られる。このことにより、貨幣入出金機１００から出金された精算所２０毎の（具体的には、貨幣釣銭機２００毎の）釣銭補充金としての貨幣（具体的には、紙幣および包装硬貨）の情報が貨幣釣銭機２００の制御部により管理されるようになる。また、レジ担当者は収納ケース４００から包装硬貨を取り出し、この取り出された包装硬貨を貨幣釣銭機２００の包装硬貨収納ユニット２８０に収納させたり、包装硬貨の包装紙を破ってバラ硬貨にした後にこのバラ硬貨を硬貨処理ユニット２５０に入金したりする。このようにして、釣銭準備金としての包装硬貨やバラ硬貨が貨幣釣銭機２００に補充される。
【００７１】
また、本実施の形態では、複数の精算所２０の貨幣釣銭機２００にそれぞれ各精算所２０のレジ担当者によって包装硬貨が補充されると、ある貨幣釣銭機２００に設けられた第２判定手段２６０により、各貨幣釣銭機２００に補充された包装硬貨の合計数が、貨幣入出金機１００から出金された包装硬貨の数と一致するか否かが判定される。そして、各貨幣釣銭機２００に補充された包装硬貨の合計数が、貨幣入出金機１００から出金された包装硬貨の数と一致しないと第２判定手段２６０により判定された場合には、貨幣釣銭機２００の制御部（図示せず）により警告情報が出力され、この出力された警告情報は貨幣釣銭機２００の操作表示部２７０（図７参照）やＰＯＳレジスタ２９０の表示部、貨幣入出金機１００の操作表示部１０４等に警告メッセージとして表示される。このことにより、貨幣入出金機１００から出金された包装硬貨が各精算所２０の貨幣釣銭機２００にまだ全て補充されていないことを管理者３０や各レジ担当者に気づかせることができるようになる。
【００７２】
以上のような構成からなる本実施の形態の貨幣処理システム１０やこのような貨幣処理システム１０に設けられた貨幣入出金機１００によれば、操作者の権限を認証手段１０７により認証し、認証手段１０７により認証された操作者の権限が所定の権限（具体的には、管理者）である場合においてのみ、複数の精算所２０（具体的には、各精算所２０に設置される精算装置としての貨幣釣銭機２００）に補充されるべき包装硬貨を一度に出金するよう包装硬貨収納ユニット１８０が制御されるようになっている。このように、認証手段１０７により認証された操作者の権限が所定の権限である場合においてのみ、複数の精算所２０に補充されるべき包装硬貨を一度に出金することができるため、管理者等の所定の権限を有する者のみが包装硬貨を出金するとともに出金された包装硬貨を精算所２０毎に分けることができるようになり、よって精算所２０のレジ担当者が包装硬貨を出金する場合と比較してセキュリティ性を向上させることができる。より詳細に説明すると、従来の貨幣処理システムでは、各精算所に設けられた貨幣釣銭機に釣銭準備金として包装硬貨を補充する際には、精算所のレジ担当者が貨幣入出金機から包装硬貨を出金するとともに出金された包装硬貨を手で収納ケースに入れ、その後に収納ケースを精算所まで運搬していた。しかしながら、この場合には、包装硬貨をレジ担当者の手で収納ケース等に入れてバックヤード領域からフロント領域の精算所まで持ち運ぶため、セキュリティの面で問題があった。また、レジ担当者は貨幣入出金機の筐体から引出部を引き出して当該引出部の各収納領域に収納されている包装硬貨を取り出すことができるため、大量の包装硬貨が貨幣入出金機から抜き取られてしまうおそれがあった。これに対し、本実施の形態では、管理者等の所定の権限を有する者のみが貨幣入出金機１００から包装硬貨を出金することができるような構成となっているため、セキュリティ性を向上させることができるようになる。
【００７３】
また、貨幣入出金機１００において、包装硬貨収納ユニット１８０は、包装硬貨が収納される収納部分（具体的には、包装硬貨を収納する各収納領域１８０ａ〜１８０ｆが設けられた引出部１８２）、および収納部分としての引出部１８２を筐体１０１内でロックするロック機構１８４を有しており、制御部１０２は、認証手段１０７により認証された操作者の権限が所定の権限（具体的には、管理者）である場合においてのみ、ロック機構１８４による収納部分のロックを解除するようになっている。この場合には、所定の権限を有する操作者のみが、収納部分としての引出部１８２を筐体１０１から引き出して当該引出部１８２から包装硬貨を取り出すことができるようになる。
【００７４】
なお、本実施の形態では、包装硬貨を収納する包装硬貨収納部は、包装硬貨を収納する各収納領域１８０ａ〜１８０ｆが設けられた引出部１８２が筐体１０１から引き出し可能となっているような構成の包装硬貨収納ユニット１８０に限定されることはない。包装硬貨を収納する包装硬貨収納部として、包装硬貨が筐体の内部から外部に自動的に投出されるような構成のものが用いられてもよい。具体的には、このような包装硬貨収納部は、包装硬貨を金種毎に収納するとともに収納されている包装硬貨を１本ずつ繰り出し可能な複数の収納繰出部分と、包装硬貨を筐体の内部から外部に投出するための投出口と、各収納繰出部分から繰り出された包装硬貨を投出口に搬送する搬送部分とを有しており、所定の権限を有する操作者によって包装硬貨の出金の指令が入力されると、出金されるべき包装硬貨が各収納繰出部分から搬送部分に繰り出されて当該搬送部分により投出口に搬送されるようになる。このようにして、所定の権限を有する操作者は投出口から筐体の外部に包装硬貨を取り出すことができるようになる。このような構成の包装硬貨収納部でも、本願の発明の原理を適用することができるようになっている。すなわち、認証手段により認証された操作者の権限が所定の権限である場合においてのみ、複数の精算所に補充されるべき包装硬貨を一度に出金するよう各収納繰出部分および搬送部分が制御されるようになっている。
【００７５】
なお、本発明による貨幣処理システムは、上述したような態様に限定されることはなく、様々な変更を加えることができる。
【００７６】
例えば、複数の精算所２０の各々に精算装置として貨幣釣銭機２００を設置する代わりに、包装硬貨が収納されるキャッシュドロアや棒金収納庫等を設置してもよい。この場合にも、貨幣入出金機１００から出金された包装硬貨が釣銭補充金として各精算所２０のキャッシュドロアや棒金収納庫等の精算装置に収納されるようになる。なお、複数の精算所２０の各々に設置される精算装置として、当該精算装置に補充された包装硬貨の数を検知することができないものが用いられてもよい。
【００７７】
また、上述した構成の貨幣入出金機１００を店舗のバックヤード領域１４に設置するのではなくフロント領域１２の精算所２０に設置してもよい。この場合、フロント領域１２において貨幣入出金機１００はＰＯＳレジスタ２９０と接続され、当該貨幣入出金機１００は貨幣釣銭機として機能するようになる。更に、フロント領域１２に設置される貨幣入出金機１００は、貨幣釣銭機２００から回収された売上金や余剰金としての貨幣の入金処理を行う入金機として機能したり、貨幣釣銭機２００に補充されるべき貨幣（すなわち、釣銭補充金）の出金処理を行う出金機として機能したり、貨幣釣銭機２００から払い出された貨幣と同額かつ異なる金種の貨幣に両替する両替機として機能したりするようになる。
【００７８】
また、複数の精算所２０の各々に精算装置として設置される貨幣釣銭機２００がセルフレジまたはセミセルフレジとして用いられるようになっていてもよい。ここで、セルフレジとは、顧客が購入しようとする商品の情報をＰＯＳレジスタ２９０に入力する動作および商品の代金としての貨幣を貨幣釣銭機２００に入金する動作を全て顧客が行うようなレジのことをいい、セミセルフレジとは、顧客が購入しようとする商品の情報をＰＯＳレジスタ２９０に入力する動作をレジ担当者が行うが商品の代金としての貨幣を貨幣釣銭機２００に入金する動作を顧客が行うようなレジのことをいう。このように、複数の精算所２０の各々に精算装置として設置される貨幣釣銭機２００がセルフレジまたはセミセルフレジとして用いられる場合でも、本発明の原理を適用することができるようになる。
【００７９】
また、上記の説明では、操作者の権限を認証する認証手段１０７が貨幣入出金機１００に設けられるような態様について説明したが、本発明に係る貨幣処理システムはこのような態様に限定されることはない。変形例に係る貨幣処理システムとして、操作者の権限を認証する認証手段が貨幣入出金機１００以外の装置（例えば、貨幣釣銭機２００やＰＯＳレジスタ２９０、あるいは貨幣入出金機１００の上位端末等）に設けられ、これらの装置に設置される認証手段により認証された操作者の権限が所定の権限である場合においてのみ、複数の精算所２０に設置されるべき包装硬貨が一度に貨幣入出金機１００の包装硬貨収納ユニット１８０から出金されるようになっていてもよい。
【００８０】
また、上記の説明では、包装硬貨収納ユニット１８０における引出部１８２の各収納領域１８０ａ〜１８０ｆから取り出された包装硬貨の数が、制御部１０２により算出された、各精算所２０に設置されている貨幣釣銭機２００に補充されるべき包装硬貨の合計数と一致するか否かを判定する第１判定手段１０９が貨幣入出金機１００に設けられるような態様について説明したが、本発明に係る貨幣処理システムはこのような態様に限定されることはない。変形例に係る貨幣処理システムとして、上述した判定を行う第１判定手段が貨幣入出金機１００以外の装置（例えば、貨幣釣銭機２００やＰＯＳレジスタ２９０、あるいは貨幣入出金機１００の上位端末等）に設けられるようになっていてもよい。また、上記の説明では、複数の精算所２０に設置されている各貨幣釣銭機２００に補充された包装硬貨の合計数が、貨幣入出金機１００から出金された包装硬貨の数と一致するか否かを判定する第２判定手段２６０が貨幣釣銭機２００に設けられるような態様について説明したが、本発明に係る貨幣処理システムはこのような態様に限定されることはない。変形例に係る貨幣処理システムとして、上述した判定を行う第２判定手段が貨幣釣銭機２００以外の装置（例えば、貨幣入出金機１００やＰＯＳレジスタ２９０等）に設けられるようになっていてもよい。
【００８１】
また、本実施の形態による貨幣処理システム１０が設置される店舗において棚卸しが行われる際に、各精算所２０に設置されている貨幣釣銭機２００の包装硬貨収納ユニット２８０から包装硬貨が取り出され、この取り出された包装硬貨が貨幣入出金機１００の包装硬貨収納ユニット１８０に収納されるようになっていてもよい。この場合には、認証手段１０７により認証された操作者の権限が所定の権限（例えば、管理者）である場合においてのみ、複数の精算所２０の貨幣釣銭機２００から取り出された包装硬貨を一度に入金するよう包装硬貨収納ユニット１８０が制御部１０２により制御されるようになっている。具体的には、各精算所２０に設置されている貨幣釣銭機２００の包装硬貨収納ユニット２８０から取り出された包装硬貨は管理者３０に預けられるようになる。そして、管理者３０が認証手段１０７により操作者の権限を認証させると、ロック機構１８４による引出部１８２のロックが解除され、管理者３０は筐体１０１から引出部１８２を引き出すことができるようになる。このようにして、複数の精算所２０の貨幣釣銭機２００から取り出された包装硬貨を管理者３０は一度に引出部１８２の各収納領域１８０ａ〜１８０ｆに収納することができるようになる。
【符号の説明】
【００８２】
１０      貨幣処理システム
１２      フロント領域
１４      バックヤード領域
２０      精算所
３０      管理者
１００    貨幣入出金機
１０１    筐体
１０２    制御部
１０３    印字部
１０４    操作表示部
１０５    通信部
１０６    記憶部
１０７    認証手段
１０８    受付手段
１０９    第１判定手段
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２７    カセット装着検知部
１２８    書込部
１２９    読取部
１３０    搬送部
１３０ａ  周回搬送部
１３０ｂ  接続搬送部
１３２    識別部
１３４、１３６  紙幣収納部
１３５、１３７  紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    引出部
１８４    ロック機構
１８６    重量計
１８８    検知部
２００    貨幣釣銭機
２１０    紙幣処理ユニット
２５０    硬貨処理ユニット
２６０    第２判定手段
２７０    操作表示部
２８０    包装硬貨収納ユニット
２９０    ＰＯＳレジスタ
３００    収納カセット
３０１    ケーシング
３０２    開口
３０４    記憶媒体
４００    収納ケース
【図１】
2018180624.tif 000003
【図２】
2018180624.tif 000004
【図３】
2018180624.tif 000005
【図４】
2018180624.tif 000006
【図５】
2018180624.tif 000007
【図６】
2018180624.tif 000008
【図７】
2018180624.tif 000009
【図８】
2018180624.tif 000010